(57)【要約】【課題】第１点灯部と制御部とを接続する際に使用し、第１制御信号を送信するための信号配線を短くすることができる点灯装置、照明器具、及び照明システムを提供する。【解決手段】点灯装置２０は、外部にある分電盤４に接続可能であり、分電盤４が分配した電力を供給されることが可能である。点灯装置２０は、制御部４０と、第１点灯部３０とを備える。制御部４０は、第１光源１１の制御内容を示す第１情報を受信し、前記第１情報に基づいて第１制御信号を送信する。第１点灯部３０は、前記第１制御信号に基づいて第１光源１１を作動させる。【選択図】図１
2018152180.tif 000002
【特許請求の範囲】
【請求項１】
外部にある分電盤に接続可能であり、前記分電盤が分配した電力を供給されることの可能な点灯装置であって、
第１光源の制御内容を示す第１情報を受信し、前記第１情報に基づいて第１制御信号を送信する制御部と、
前記第１制御信号に基づいて前記第１光源を作動させる第１点灯部と
を備える、点灯装置。
【請求項２】
単一の回路基板をさらに備え、
前記第１点灯部は、
前記第１制御信号に基づいて前記第１光源を作動させる点灯回路と、
前記点灯回路に電力を供給する点灯電源回路と
を有し、
前記制御部は、
前記第１情報に基づいて前記第１制御信号を送信する制御回路と、
前記制御回路に電力を供給する制御電源回路と
を有し、
前記点灯回路と、前記点灯電源回路と、前記制御回路と、前記制御電源回路とが、前記回路基板に実装される、請求項１に記載の点灯装置。
【請求項３】
単一の収容部をさらに備え、
前記第１点灯部は、
前記第１制御信号に基づいて前記第１光源を作動させる点灯回路と、
前記点灯回路に電力を供給する点灯電源回路と
を有し、
前記制御部は、
前記第１情報に基づいて前記第１制御信号を送信する制御回路と、
前記制御回路に電力を供給する制御電源回路と
を有し、
前記点灯回路と、前記点灯電源回路と、前記制御回路と、前記制御電源回路とが、前記収容部に収容される、請求項１に記載の点灯装置。
【請求項４】
前記点灯電源回路、及び、前記制御電源回路のうちの一方が他方の電源回路を兼ねる、請求項２又は請求項３に記載の点灯装置。
【請求項５】
前記制御部を操作して、前記制御部を動作状態と停止状態とのうちのいずれかに切り替える切替部をさらに備える、請求項２から請求項４のいずれか一項に記載の点灯装置。
【請求項６】
前記制御回路の通電状態、及び／又は、前記制御回路の動作状態を報知する報知部をさらに備える、請求項２から請求項５のいずれか一項に記載の点灯装置。
【請求項７】
前記制御部が、前記制御部に電力を供給する前記分電盤から離間して設置される、請求項１から請求項６のいずれか一項に記載の点灯装置。
【請求項８】
請求項１から請求項７のいずれか１項に記載の点灯装置と、
前記第１光源と
を備える、照明器具。
【請求項９】
請求項８に記載の照明器具と、スレーブ照明器具とを備え、
前記スレーブ照明器具は、
第２光源と、
第２制御信号に基づいて前記第２光源を作動させる第２点灯部と
を有し、
前記制御部は、前記第２光源の制御内容を示す第２情報を受信し、前記第２情報に基づいて前記第２制御信号を送信する、照明システム。
【発明の詳細な説明】
【技術分野】
【０００１】
本発明は、点灯装置、照明器具、及び照明システムに関する。
【背景技術】
【０００２】
特許文献１に記載の照明制御システムは、制御信号を送信する外部機器と、照明器具とを備える。制御信号は、照明光の制御を行う情報を含む。照明器具は、制御信号を無線方式又は有線方式により受信する通信部と、通信部が受信した制御信号を点灯制御信号に変換する信号変換部と、光源を点灯させる点灯回路部と、点灯制御信号に基づいて点灯回路部を制御する点灯制御部とを備える。外部機器は、屋内の壁面に設けられる。照明器具は、天井に設けられる。
【先行技術文献】
【特許文献】
【０００３】
【特許文献１】特開２０１５−１０９１９６号公報
【発明の概要】
【発明が解決しようとする課題】
【０００４】
一般的に、分電盤が壁面に設けられ、外部機器が分電盤に併設されていた。従って、外部機器の設置場所は、分電盤の設置場所に影響されていた。その結果、分電盤の設置場所に合わせて、外部機器が壁面に設置されるので、外部機器と、天井に設置される照明器具との距離が長くなっていた。
外部機器と照明器具との通信を有線方式で行う場合、外部機器と照明器具とを信号配線で接続する。しかし、壁に設置される外部機器から、天井に設置される照明器具まで届くような長い信号配線を取り扱わなければならなかった。その結果、外部機器と照明器具とを信号配線で接続する作業が煩雑化するおそれがあった。
【０００５】
本発明は、上記課題に鑑みてなされたものであり、信号配線を短くすることができる点灯装置、照明器具、及び照明システムを提供することを目的としている。
【課題を解決するための手段】
【０００６】
本願に開示する点灯装置は、外部にある分電盤に接続可能であり、前記分電盤が分配した電力を供給されることが可能である。点灯装置は、制御部と、第１点灯部とを備える。制御部は、第１光源の制御内容を示す第１情報を受信し、前記第１情報に基づいて第１制御信号を送信する。第１点灯部は、前記第１制御信号に基づいて前記第１光源を作動させる。
【０００７】
本願に開示する点灯装置は、単一の回路基板をさらに備えることが好ましい。前記第１点灯部は、点灯回路と、点灯電源回路とを有することが好ましい。点灯回路は、前記第１制御信号に基づいて前記第１光源を作動させることが好ましい。点灯電源回路は、前記点灯回路に電力を供給することが好ましい。前記制御部は、制御回路と、制御電源回路とを有することが好ましい。制御回路は、前記第１情報に基づいて前記第１制御信号を送信することが好ましい。制御電源回路は、前記制御回路に電力を供給することが好ましい。前記点灯回路と、前記点灯電源回路と、前記制御回路と、前記制御電源回路とが、前記回路基板に実装されることが好ましい。
【０００８】
本願に開示する点灯装置は、単一の収容部をさらに備えることが好ましい。前記第１点灯部は、点灯回路と、点灯電源回路とを有することが好ましい。点灯回路は、前記第１制御信号に基づいて前記第１光源を作動させることが好ましい。点灯電源回路は、前記点灯回路に電力を供給することが好ましい。前記制御部は、制御回路と、制御電源回路とを有することが好ましい。制御回路は、前記第１情報に基づいて前記第１制御信号を送信することが好ましい。制御電源回路は、前記制御回路に電力を供給することが好ましい。前記点灯回路と、前記点灯電源回路と、前記制御回路と、前記制御電源回路とが、前記収容部に収容されることが好ましい。
【０００９】
本願に開示する点灯装置において、前記点灯電源回路、及び、前記制御電源回路のうちの、一方が他方の電源回路を兼ねることが好ましい。
【００１０】
本願に開示する点灯装置は、第１切替部をさらに備えることが好ましい。第１切替部は、前記制御部を操作して、前記制御部を動作状態と停止状態とのうちのいずれかに切り替えることが好ましい。
【００１１】
本願に開示する点灯装置は、報知部をさらに備えることが好ましい。報知部は、前記制御回路の通電状態、及び／又は、前記制御回路の動作状態を報知することが好ましい。
【００１２】
本願に開示する点灯装置において、前記制御部が、前記制御部に電力を供給する分電盤に対して離間して設置されることが好ましい。
【００１３】
本願に開示する照明器具は、上記点灯装置と、前記第１光源とを備える。
【００１４】
本願に開示する照明システムは、上記照明器具と、スレーブ照明器具とを備える。前記スレーブ照明器具は、第２光源と、第２点灯部とを有する。第２点灯部は、第２制御信号に基づいて前記第２光源を作動させる。上記制御部は、第２光源の制御内容を示す第２情報を受信し、前記第２情報に基づいて前記第２制御信号を送信する。
【発明の効果】
【００１５】
本発明によれば、制御部から第１点灯部へ第１制御信号を送信するために使用する信号配線を短くすることができる。
【図面の簡単な説明】
【００１６】
【図１】照明システムの第１実施形態を示す概略構成図。
【図２】照明システムの第２実施形態を示す概略構成図。
【図３】照明システムの第３実施形態を示す概略構成図。
【図４】照明システムの第４実施形態を示す概略構成図。
【図５】照明システムの第５実施形態を示す概略構成図。
【図６】照明システムの第６実施形態を示す概略構成図。
【図７】照明システムの第７実施形態を示す概略構成図。
【発明を実施するための形態】
【００１７】
本発明の実施形態について、図面を参照しながら説明する。なお、図中、同一又は相当部分については同一の参照符号を付して説明を繰り返さない。
【００１８】
［第１実施形態］
図１を参照して、照明システム１の第１実施形態について説明する。図１は、照明システム１の第１実施形態の概略構成図である。
【００１９】
図１に示すように、照明システム１は、入力装置２と、照明器具３と、第１信号配線５と、第１電力配線６と、第２電力配線７とを備える。
【００２０】
入力装置２は、入力部２１と、送信部２２とを有する。入力部２１は、第１光源１１の制御内容を示す第１情報を受け付ける。第１情報は、例えば、第１光源１１の点灯の指示を示す情報、明るさを示す情報、色温度を示す情報、及び、消灯の指示を示す情報である。送信部２２は、入力部２１を介して入力された第１情報を照明器具３へ送信する。送信部２２は、第１情報を有線方式及び無線方式のうちのいずれの方式で送信してもよい。
入力装置２は、例えば、ＰＣ、スマートフォン、又はタブレット型端末のような汎用機器であってもよい。また、入力装置２は、専用の操作器であってもよい。
【００２１】
照明器具３は、第１光源１１と、点灯装置２０とを備える。
【００２２】
第１光源１１は、発光素子を備える。発光素子は、例えば、ＬＥＤ（Ｌｉｇｈｔ  Ｅｍｉｔｔｉｎｇ  Ｄｉｏｄｅ）素子を示す。なお、発光素子は、ＬＥＤ素子に限定されない。第１光源１１は、例えば、半導体レーザーのような半導体発光素子、有機ＥＬ（Ｅｌｅｃｔｒｏ  Ｌｕｍｉｎｅｓｃｅｎｃｅ）、又は無機ＥＬのような固体発光素子を有してもよい。
【００２３】
点灯装置２０は、分電盤４に接続可能であり、分電盤４が分配した電力を供給されることが可能である。
点灯装置２０は、第１点灯部３０と、制御部４０とを備える。
【００２４】
第１点灯部３０は、第１点灯回路（点灯回路）３１と、第１点灯電源回路（点灯電源回路）３２と、第１回路基板３３とを有する。第１点灯回路３１と第１点灯電源回路３２とは、第１回路基板３３に実装される。
【００２５】
第１点灯電源回路３２は、第１電力配線６を介して分電盤４と接続される。分電盤４は、第１電力配線６を介して第１点灯電源回路３２に交流電力を供給する。第１点灯電源回路３２は、分電盤４から供給される交流電力を直流電力に変換して第１点灯回路３１に供給する。第１点灯回路３１は、第１点灯電源回路３２から供給される電力により第１光源１１を点灯させる。
【００２６】
制御部４０は、分電盤４に併設されず、分電盤４と独立して設置される。つまり、制御部４０の設置場所は、分電盤４の設置場所に影響されない。従って、分電盤４が点灯装置２０の構成要素とならず、分電盤４の外部に点灯装置２０がある。
【００２７】
制御部４０は、受信部４１と、制御回路４２と、制御電源回路４３と、第２回路基板４４と有する。制御回路４２と制御電源回路４３とは、第２回路基板４４に実装される。
【００２８】
受信部４１は、送信部２２が送信した第１情報を受信する。受信部４１は、例えば、第１情報を無線方式で受信するアンテナを有する。
【００２９】
制御回路４２は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような記憶素子（例えば、半導体メモリー）を含む。記憶素子は、種々のコンピュータープログラムを記憶する。制御回路４２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御回路４２は、コンピュータープログラムを実行することにより、第１点灯回路３１を制御する。
【００３０】
制御回路４２は、受信部４１から第１情報を取得する。制御回路４２は、第１情報に基づいて、第１点灯回路３１に第１制御信号を送信する。第１点灯回路３１は、第１制御信号に基づいて第１光源１１を作動させる。その結果、第１光源１１は、第１情報に規定された内容に沿うように作動する。具体的には、第１点灯回路３１は、第１点灯電源回路３２から供給された電力を、第１情報に対応した電力に変換して第１光源１１に供給する。その結果、第１光源１１は、第１情報に規定された内容に沿って、点灯、消灯、明るさの変更、及び／又は、色温度の変更のような動作を行う。
【００３１】
第１制御信号による第１光源１１の制御方法は、特に限定されない。第１光源１１の制御方法として、例えば、ＤＡＬＩ（登録商標）に規定された制御方法、ＰＷＭ制御による制御方法、又は、Ｔ／Ｆｌｅｃｓ（登録商標）による制御方法を適用してもよい。
また、第１制御信号による第１光源１１の制御内容は、第１光源１１の点灯及び消灯の制御以外に、調光制御、及び調色制御のうちの少なくとも１つが含まれていればよい。
【００３２】
制御電源回路４３は、第２電力配線７を介して分電盤４と接続される。分電盤４は、第２電力配線７を介して制御電源回路４３に交流電力を供給する。制御電源回路４３は、分電盤４から供給される交流電力を直流電力に変換して制御回路４２に供給する。制御回路４２は、制御電源回路４３から供給される電力で作動する。
【００３３】
第１信号配線５は、制御回路４２と第１点灯回路３１とを接続する。制御回路４２は、第１信号配線５を介して第１点灯回路３１に第１制御信号を送信する。
【００３４】
以上、図１を参照して説明したように、点灯装置２０は、第１点灯部３０と制御部４０とを備える。また、点灯装置２０は、分電盤４の外部にある。従って、第１点灯部３０と制御部４０とを、分電盤４を除いた１つのユニットとして扱い、分電盤４の設置場所に影響されることなく、制御部４０の設置場所を決定することが可能である。その結果、第１信号配線５を短くすることができる。
【００３５】
［第２実施形態］
図２を参照して、照明システム１の第２実施形態について説明する。図２は、照明システム１の第２実施形態の概略構成図である。第２実施形態において、第１回路基板３３及び第２回路基板４４に代えて、第３回路基板５０を使用した点が第１実施形態と異なる。第２実施形態において、主に第１実施形態との変更点について説明する。
【００３６】
図２に示すように、点灯装置２０は、第３回路基板（回路基板）５０をさらに備える。第１点灯回路３１と、第１点灯電源回路３２と、制御回路４２と、制御電源回路４３とは、第３回路基板５０に実装される。
【００３７】
従って、第１点灯回路３１と制御回路４２とが第３回路基板５０上で接続される。従って、第３回路基板５０上で、制御回路４２から第１点灯回路３１に第１制御信号が送信される。その結果、第１信号配線５が不要となり、装置で使用する信号配線の本数を減らすことが可能となる。
【００３８】
また、第１点灯電源回路３２と制御電源回路４３とを、単一の第３回路基板５０に実装することで、第１点灯電源回路３２と制御電源回路４３とに電力を供給する電力配線を２本から１本に減らすことができる。第２実施形態では、例えば、第１電力配線６を使用し、第２電力配線７を不使用とする。従って、装置で使用する電力配線の本数を減らすことが可能となる。
【００３９】
また、第１点灯回路３１と、第１点灯電源回路３２と、制御回路４２と、制御電源回路４３とを、単一の第３回路基板５０に実装することで、回路全体を小型化でき、装置をコンパクト化することが可能となる。
【００４０】
［第３実施形態］
図３を参照して、照明システム１の第３実施形態について説明する。図３は、照明システム１の第３実施形態の概略構成図である。第３実施形態において、第１点灯部３０と制御部４０とで電源回路を共通化した点が第２実施形態と異なる。第３実施形態において、主に第２実施形態との変更点について説明する。
【００４１】
図３に示すように、点灯装置２０において、第１点灯部３０を駆動する電源回路（第１点灯電源回路３２）、及び、制御部４０を駆動する電源回路（図２に示す制御電源回路４３）のうちの、一方の電源回路が他方の電源回路を兼ねている。つまり、点灯装置２０において、単一の電源回路が、第１点灯回路３１に電力を供給すると共に、制御回路４２に電力を供給する。第３実施形態では、第１点灯電源回路３２が制御部４０を駆動する電源回路（図２に示す制御電源回路４３）を兼ねている。従って、第１点灯電源回路３２が、第１点灯回路３１に電力を供給すると共に、制御回路４２に電力を供給する。
【００４２】
以上、図３を参照して説明したように、単一の電源回路（第１点灯電源回路３２）が、第１点灯回路３１に電力を供給すると共に、制御回路４２に電力を供給する。従って、第１点灯部３０と制御部４０との各々に電源回路を設ける必要がない。その結果、装置構成を簡素化することが可能となる。
【００４３】
また、第２実施形態と同様に、装置で使用する信号配線の本数と、電力配線の本数とをそれぞれ減らすことができる。また、第１点灯回路３１と、制御回路４２と、第１点灯電源回路３２とを、単一の第３回路基板５０に実装することで、回路全体を小型化でき、装置をコンパクト化することが可能となる。
【００４４】
［第４実施形態］
図４を参照して、照明システム１の第４実施形態について説明する。図４は、照明システム１の第４実施形態の概略構成図である。第４実施形態において、第１光源１１の制御を、制御部４０で行うか否かを選択できるように構成した点が第１実施形態と異なる。第４実施形態において、主に第１実施形態との変更点について説明する。
【００４５】
図４に示すように、照明システム１は、第１切替部（切替部）５１と、第２切替部５２とをさらに備える。第１切替部５１は、点灯装置２０に含まれる。第１切替部５１及び第２切替部５２の各々は、手動で操作される。第１切替部５１及び第２切替部５２の各々は、例えば、レバースイッチ、ボタンスイッチ、スライドスイッチ、又はシーソースイッチである。
【００４６】
第１切替部５１は、制御部４０を操作して、制御部４０を動作状態と停止状態とのうちのいずれかに切り替える。具体的には、第１切替部５１は、制御電源回路４３を操作して、制御電源回路４３が制御回路４２へ電力を供給している状態と、電力の供給を停止している状態とのうちのいずれかに切り替える。第１切替部５１は、例えば、照明器具３の灯体、又は照明器具３の電源ユニットに設けられる。
【００４７】
制御部４０の動作状態は、制御電源回路４３が制御回路４２へ電力を供給している状態を示す。制御部４０が動作状態のとき、制御部４０は第１点灯部３０に第１制御信号を送信し、第１点灯部３０を制御している。
【００４８】
また、制御部４０の停止状態は、制御電源回路４３から制御回路４２への電力の供給が停止している状態を示す。制御部４０が停止状態のとき、制御部４０から第１制御信号が送信されない。その結果、制御部４０による第１点灯部３０の制御が行われない。
【００４９】
第２切替部５２は、第１点灯部３０を操作して、第１光源１１を点灯状態と消灯状態とのうちのいずれかに切り替える。具体的には、第２切替部５２は、第１点灯電源回路３２を操作して、第１点灯電源回路３２が第１点灯回路３１へ電力の供給を実施している状態と、電力の供給を停止している状態とのうちのいずれかに切り替える。第２切替部５２は、例えば、照明器具３が設置される建物の壁に設けられる。
【００５０】
第１光源１１の点灯状態は、第１点灯電源回路３２が第１点灯回路３１へ電力を供給している状態を示す。その結果、第１点灯回路３１が第１光源１１へ電力を供給し、第１光源１１が点灯している。
【００５１】
また、第１光源１１の消灯状態は、第１点灯電源回路３２から第１点灯回路３１への電力の供給が停止している状態を示す。その結果、第１点灯回路３１が第１光源１１へ電力を供給せず、第１光源１１が消灯している。
【００５２】
制御部４０が動作状態になるように第１切替部５１が操作された場合、第２切替部５２の操作が有効になり、かつ、入力部２１の操作が有効になる。従って、制御部４０が動作状態のとき、第２切替部５２がオンからオフに切り替えられると、第１点灯部３０から第１光源１１への電力供給が遮断される。その結果、制御部４０が動作状態のまま、第１光源１１が消灯する。
これに対し、制御部４０が停止状態になるように第１切替部５１が操作された場合、第２切替部５２の操作が有効になる。従って、第２切替部５２の操作によって第１光源１１が作動する。具体的には、第２切替部５２の操作によって、第１光源１１が点灯状態と消灯状態とのうちのいずれかに切り替わる。この場合、入力部２１を操作しても第１光源１１が作動しない。
【００５３】
以上、図４を参照して説明したように、点灯装置２０は、第１切替部５１と、第２切替部５２とを備える。従って、ユーザーのニーズに合わせて、入力部２１で第１光源１１を作動させるか、又は、第２切替部５２で第１光源１１を作動させるかを選択することが可能となる。つまり、調光制御、及び／又は調色制御のような第１光源１１の細かな制御を入力部２１で行う形態と、消灯及び点灯のみの第１光源１１のシンプルな制御を第２切替部５２で行う形態とのうちのいずれかを選択することが可能となる。
【００５４】
［第５実施形態］
図５を参照して、照明システム１の第５実施形態について説明する。図５は、照明システム１の第５実施形態の概略構成図である。第５実施形態において、制御回路４２の状態を報知するように構成した点が第１実施形態と異なる。第５実施形態において、主に第１実施形態との変更点について説明する。
【００５５】
図５に示すように、点灯装置２０は、報知装置６０を備える。報知装置６０は、第１検知部６１と、第２検知部６２と、報知部６３とを有する。第１検知部６１は、制御回路４２の通電状態を検知する。制御回路４２の通電状態は、制御回路４２に対して制御電源回路４３から電力が供給されている状態を示す。第２検知部６２は、制御回路４２の作動状態を検知する。制御回路４２の作動状態は、制御回路４２が第１制御信号を送信している状態を示す。報知部６３は、第１検知部６１から、制御回路４２の通電状態を示す通電信号を受信する。報知部６３は、通電信号に基づいて、制御回路４２が通電状態であるか否かを判定する。そして、報知部６３は、制御回路４２が通電状態であるか否かを報知する。また、報知部６３は、第２検知部６２から、制御回路４２の作動状態を示す作動信号を受信する。報知部６３は、作動信号に基づいて、制御回路４２が作動状態であるか否かを判定する。そして、報知部６３は、制御回路４２が作動状態であるか否かを報知する。
【００５６】
報知部６３は、例えば、ＬＥＤインジケーターのような表示部を有する。具体的には、報知部６３は、制御回路４２の通電状態を報知するための第１表示部と、制御回路４２の作動状態を報知するための第２表示部とを有する。制御回路４２が通電状態のとき、第１表示部が点灯する。制御回路４２が通電状態ではないとき、第１表示部が消灯する。また、制御回路４２が作動状態のとき、第２表示部が点灯する。制御回路４２が作動状態ではないとき、第２表示部が消灯する。その結果、ユーザーは、報知部６３を視認することで、制御回路４２の通電状態と、制御回路４２の作動状態とを認識することが可能となる。なお、報知部６３は、単一の表示部を有していてもよい。この場合、単一の表示部は、点灯動作の態様を変化させることで、制御回路４２の状態を表現する。例えば、制御回路４２が通電状態であり、かつ、作動状態のとき、表示部は点滅する。また、制御回路４２が通電状態であるが、作動状態ではないとき、表示部は連続して点灯する。また、制御回路４２が通電状態ではなく、かつ、作動状態ではないとき、表示部は消灯する。
【００５７】
報知部６３の設置場所について説明する。
第１光源１１は、例えば、照射室の天井に設けられ、照射室内に光を照射する。この場合、照射室内にいる人が視認可能な場所に、報知部６３が設置される。報知部６３は、例えば、第１光源１１の支持部材に取り付けられる。
【００５８】
なお、報知部６３は、制御回路４２の通電状態、及び、制御回路４２の作動状態のうちのいずれかを報知するように構成してもよい。しかし、報知部６３が、制御回路４２の通電状態、及び、制御回路４２の作動状態の双方を報知する方が、制御回路４２の状態をユーザーがより詳細に認識できる点で有利である。
【００５９】
［第６実施形態］
図６を参照して、照明システム１の第６実施形態について説明する。図６は、照明システム１の第６実施形態の概略構成図である。第６実施形態において、スレーブ照明器具３ａを追加した点が第３実施形態と異なる。第６実施形態において、主に第３実施形態との変更点について説明する。
【００６０】
照明システム１は、照明器具３と、スレーブ照明器具３ａと、第２信号配線８と、第３電力配線９とを備える。照明器具３は、マスター照明器具を示す。スレーブ照明器具３ａは、第２光源１２と、第２点灯部７０とを有する。
【００６１】
第２点灯部７０は、第２点灯回路７１と、第２点灯電源回路７２と、第４回路基板７３とを有する。第２点灯回路７１と第２点灯電源回路７２とは、第４回路基板７３に実装される。第２点灯電源回路７２は、第３電力配線９を介して分電盤４と接続される。分電盤４は、第３電力配線９を介して第２点灯電源回路７２に交流電力を供給する。第２点灯電源回路７２は、分電盤４から供給される交流電力を直流電力に変換し、変換した直流電力を第２点灯回路７１に供給する。第２点灯回路７１は、第２点灯電源回路７２から供給される電力により第２光源１２を点灯させる。
【００６２】
第２信号配線８は、第１点灯回路３１と第２点灯回路７１とを接続する。
入力部２１は、第２光源１２の制御内容を示す第２情報を受け付ける。第２情報は、例えば、第２光源１２の点灯の指示を示す情報、明るさを示す情報、色温度を示す情報、及び、消灯の指示を示す情報である。
送信部２２は、第２情報を送信する。受信部４１は、第２情報を受信する。制御回路４２は、受信部４１から第２情報を取得する。制御回路４２は、取得した第２情報に基づいて、第２点灯回路７１に第２制御信号を送信する。第２制御信号は、第２信号配線８を介して第２点灯回路７１に送信される。
第２点灯回路７１は、第２制御信号に基づいて第２光源１２を作動させる。その結果、第２光源１２は、第２情報に規定された内容に沿って、例えば、点灯、消灯、明るさの変更、及び／又は、色温度の変更のような動作を行う。
第１点灯部３０と第２点灯部７０との各々は端子台を備える。第２信号配線８の一方の端部は、第１点灯部３０の端子台に接続される。第２信号配線８の他方の端部は、第２点灯部７０の端子台に接続される。
【００６３】
以上、図６を参照して説明したように、単一の制御部４０で複数の光源を制御することが可能となる。従って、複数の光源を効率的に制御することが可能となる。また、複数の光源を制御する照明システム１をシンプルに構成することが可能となる。
【００６４】
［第７実施形態］
図６及び図７を参照して、照明システム１の第７実施形態について説明する。図７は、第６実施形態の照明システム１の使用状態を示す模式図である。
【００６５】
図６及び図７に示すように、照明システム１は、建築物１００に設置される。照明器具３とスレーブ照明器具３ａとは、例えば、建築物１００の天井に設置される。分電盤４は、例えば、建築物１００の壁に設置される。制御部４０は、分電盤４に併設されておらず、分電盤４から離間して設置される。制御部４０は、天井に設置される。
【００６６】
点灯装置２０は、第１収容部（収容部）８１を有する。第１収容部８１は、第１点灯部３０と制御部４０とを収容する。具体的には、第１収容部８１は、第１点灯回路３１と、第１点灯電源回路３２と、受信部４１と、制御回路４２と、第３回路基板５０とを収容する。第１収容部８１は、第１光源１１に近接して設置される。スレーブ照明器具３ａは第２収容部８２を有する。第２収容部８２は、第２点灯部７０を収容する。具体的には、第２収容部８２は、第２点灯回路７１と、第２点灯電源回路７２と、第４回路基板７３とを収容する。第２収容部８２は、第２光源１２に近接して設置される。第１収容部８１及び第２収容部８２の各々は、例えば電源ケースである。第１光源１１と第２光源１２との各々は、天井に設置され、天井から室内に向けて光を照射する。
【００６７】
以上、図６及び図７を参照して説明したように、照明器具３が天井に設置される。従って、制御部４０が、壁に設置されずに、天井に設置される。その結果、制御部４０を設置する際、壁に穴をあけて制御部４０を壁に固定する作業のような煩雑な作業を行う必要がなくなる。また、制御部４０を壁に設置する場合は、壁の裏側にある電気配線の接続部（端部）を壁の表側に引き出すために、貫通孔を壁に設ける必要がある。つまり、照明器具３の配線のための貫通孔とは別に、制御部４０用の貫通孔を設けなければならない。本実施形態では、照明器具３が設置されるのと同時に制御部４０が設置される。従って、制御部４０のためだけの貫通孔を設ける必要がない。その結果、制御部４０の設置作業の煩雑さを低減することができる。
【００６８】
また、第１点灯回路３１と、第１点灯電源回路３２と、受信部４１と、制御回路４２と、第３回路基板５０とが単一の第１収容部８１に収容される。従って、装置をコンパクト化することが可能となる。
【００６９】
続いて、図６及び図７を参照して、送信部２２が無線送信した情報を、制御部４０の受信部４１が受信するための装置構成について説明する。第７実施形態において、送信部２２が無線送信した情報は、第１情報と第２情報とを示す。以下では、送信部２２が無線送信した情報を、無線情報と記載する。
【００７０】
図６及び図７に示すように、第１収容部８１は、例えば、放熱性を確保する観点から金属製の材料で形成される。第１収容部８１は、受信部４１を収容する。第１収容部８１は、第１収容部８１の内部と外部とを連通する孔を有する。受信部４１の一部は、孔を介して第１収容部８１の外部に露出している。
【００７１】
従って、受信部４１は、第１収容部８１から露出している部分で無線情報を受信することができる。従って、受信部４１の受信感度の低下を抑制することが可能となる。その結果、受信部４１は、無線情報を安定して受信することが可能となる。なお、第１収容部８１を天井裏に設置した場合、受信部４１の一部を天井裏から室内まで延ばし、室内に設置することで、受信部４１の受信感度を向上させることができる。
【００７２】
以上、図面（図１〜図７）を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７３】
（１）第４実施形態において、第１切替部５１と第２切替部５２とが、第１実施形態の照明システム１に対して設けられた（図４参照）。しかし、第１切替部５１と第２切替部５２とが、第２実施形態の照明システム１に対して設けられてもよい。また、第１切替部５１と第２切替部５２とが、第３実施形態の照明システム１に対して設けられてもよい。
【００７４】
（２）第５実施形態において、報知装置６０が、第１実施形態の照明システム１に対して設けられた（図５参照）。しかし、報知装置６０が、第２実施形態の照明システム１に対して設けられてもよい。また、報知装置６０が、第３実施形態の照明システム１に対して設けられてもよい。
【００７５】
（３）第６実施形態と第７実施形態とにおいて、第３実施形態の照明システム１が用いられる。しかし、第３実施形態の照明システム１に代えて、第１実施形態の照明システム１、第２実施形態の照明システム１、第４実施形態の照明システム１、又は第５実施形態の照明システム１を用いてもよい。
【００７６】
第６実施形態と第７実施形態とにおいて、第３実施形態の照明システム１に代えて、第１実施形態の照明システム１、第４実施形態の照明システム１、又は第５実施形態の照明システム１を用いたとする。この場合、第１収容部８１は、第１点灯回路３１と、第１点灯電源回路３２と、第１回路基板３３と、受信部４１と、制御回路４２と、制御電源回路４３と、第２回路基板４４とを収容する。
【００７７】
第６実施形態と第７実施形態とにおいて、第３実施形態の照明システム１に代えて、第２実施形態の照明システム１を用いたとする。この場合、第１収容部８１は、第１点灯回路３１と、第１点灯電源回路３２と、受信部４１と、制御回路４２と、制御電源回路４３と、第３回路基板５０とを収容する。
【００７８】
（４）第６実施形態と第７実施形態とにおいて、スレーブ照明器具３ａを複数設けてもよい。この場合、スレーブ照明器具３ａの各々に含まれる第２点灯回路７１が信号配線を介して直列に接続される。
【００７９】
（５）第７実施形態において、第１収容部８１を絶縁体で形成してもよい。絶縁体は、例えば、樹脂、又はセラミックである。例えば、第１収容部８１において、受信部４１を覆う部分を絶縁体で形成する。その結果、無線情報が第１収容部８１の内部へ安定して送信される。従って、受信部４１が第１収容部８１の内部で無線情報を安定して受信することが可能となる。
【００８０】
また、制御部４０を第１収容部８１の外部に設置し、制御部４０を第１収容部８１とは異なる第３収容部に収容してもよい。そして、第３収容部において、受信部４１を覆う部分を絶縁体で形成する。その結果、受信部４１が無線情報を安定して受信することが可能となる。
また、第１収容部８１が天井裏に設置される場合でも、第３収容部を室内に設置することができる。つまり、制御部４０を室内に設置することができる。その結果、受信部４１の受信感度を向上させることができる。
なお、制御部４０を第１収容部８１の外部に設置し、制御部４０を第３収容部に収容する場合、第１実施形態に示す点灯装置２０が用いられる（図１参照）。この場合、第１収容部８１と第３収容部との間に第１信号配線５が介在する。
【００８１】
（６）第７実施形態の照明システム１に対して第５実施形態の報知装置６０を追加してもよい。この場合、報知部６３が、第１光源１１の近傍に設置される。報知部６３は、例えば、第１光源１１の支持部材に取り付けられる。従って、スレーブ照明器具３ａが複数設置される場合でも、作業者は、報知部６３を視認することで、複数の照明器具のなかから、照明器具（マスター照明器具）３を容易に見つけることができる。その結果、作業者は、複数の照明器具に対するアドレスの振り直し作業、及びグループ分け作業を円滑に行うことができる。
【産業上の利用可能性】
【００８２】
本発明は、点灯装置、照明器具、及び照明システムを提供するものであり、産業上の利用可能性を有する。
【符号の説明】
【００８３】
１      照明システム
３      照明器具
３ａ    スレーブ照明器具
４      分電盤
１１    第１光源
１２    第２光源
３０    第１点灯部
３１    第１点灯回路（点灯回路）
３２    第１点灯電源回路（灯電源回路）
４０    制御部
４２    制御回路
４３    制御電源回路
５０    第３回路基板（回路基板）
５１    第１切替部（切替部）
６３    報知部
７０    第２点灯部
８１    第１収容部（収容部）
【図１】
2018152180.tif 000003
【図２】
2018152180.tif 000004
【図３】
2018152180.tif 000005
【図４】
2018152180.tif 000006
【図５】
2018152180.tif 000007
【図６】
2018152180.tif 000008
【図７】
2018152180.tif 000009